(57)【特許請求の範囲】
【請求項１】
その一端側には電線の端部に露出された芯線部分を接続するための電線接続部が配され、他端側にはアース部が配されてなるアース端子において、
前記電線接続部は前記芯線部分と共に有底のキャップによって覆われるとともに、このキャップ内はシール材によって埋め込まれることを特徴とするアース端子の電線接続部における防水構造。
【請求項２】
請求項１に記載のものであって、前記アース部と前記電線接続部とは互いに略垂直方向に延設されていることを特徴とするアース端子の電線接続部における防水構造。
【請求項３】
請求項２に記載のものであって、前記電線接続部は前記アース部の両側部分から左右方向に延設されていることを特徴とするアース端子の電線接続部における防水構造。
【請求項４】
請求項１ないし３のいずれかに記載のものであって、前記電線接続部の両側縁部分には、複数の前記電線の装着方向に沿って電線案内壁が設けられていることを特徴とするアース端子の電線接続部における防水構造。
【発明の詳細な説明】
【０００１】
【発明の属する技術分野】
本発明は、アース端子の電線接続部における防水構造に関するものである。
【０００２】
【従来の技術】
図１１（特開平６−８４５６５）及び図１２（特開昭６０−１１９０８６）には、アースを必要とする回路（図示せず）から延出された電線Ｗの先端部分にアース端子１００，１０５を取り付け、電線Ｗとアース端子１００，１０５との接続部分を防水する二種類の構造を示した。
【０００３】
このうち、図１２に示すものは、電線Ｗとアース端子１００との接続部分にゴムキャップ１０１を取付けた後、このゴムキャップ１０１内部にシール材１０２を充填、固化させたものである。
【０００４】
また、図１１に示すものは、複数の電線Ｗを一方側のコネクタハウジング１０３内に装着し、他方側のコネクタハウジング１０４からアース端子１０５を延出させてある。そして、コネクタハウジング同士１０３，１０４を嵌合させることにより、アース端子１０５と電線Ｗとの接続部分を防水構造としつつ、複数のアースを一つのアース端子１０５に連結させるものである。
【０００５】
【発明が解決しようとする課題】
ところが、複数のアースを必要とする場合に、図１１に示したようにコネクタハウジング１０３，１０４を用いると、金型の作製や端子金具が必要とされるため、非常に高価となってしまう。
【０００６】
また、図１２に示す方法では、複数のアースを必要とする回路を組付ける場合には、その回路に応じた数だけのアース端子１００が必要となり、組付け作業が煩雑となる。一方、これを避けるために、図１２の構造を応用してアース端子１００に複数の電線Ｗを取り付けようとすることも考えられないではないが、そのような場合にはゴムキャップ１０１と電線Ｗとの装着部分に隙間が生じてしまいシール材１０２を充填する際に漏出してしまい、適当ではない。
【０００７】
本発明は、上記事情に鑑みてなされたもので、その目的は安価かつ簡易に複数の電線を取り付けうるアース端子の電線接続部における防水構造を提供するところにある。
【０００８】
【課題を解決するための手段】
上記の課題を解決するための請求項１の発明に係るアース端子の電線接続部における防水構造は、その一端側には電線の端部に露出された芯線部分を接続するための電線接続部が配され、他端側にはアース部が配されてなるアース端子において、前記電線接続部は前記芯線部分と共に有底のキャップによって覆われるとともに、このキャップ内はシール材によって埋め込まれることを特徴とする。
【０００９】
請求項２の発明は、請求項１に記載のものであって、前記アース部と前記電線接続部とは互いに略垂直方向に延設されていることを特徴とする。
【００１０】
請求項３の発明は、請求項２に記載のものであって、前記電線接続部は前記アース部の両側部分から左右方向に延設されていることを特徴とする。
【００１１】
請求項４の発明は、請求項１ないし３のいずれかに記載のものであって、前記電線接続部の両側縁部分には、複数の前記電線の装着方向に沿って電線案内壁が設けられていることを特徴とする。
【００１２】
【発明の作用および効果】
請求項１の発明によれば、電線の端部を皮むきして芯線を露出させておき、この芯線部分をアース端子の電線接続部に接続しておく。次に、この電線接続部分に有底のキャップを被せ、さらに内部にシール材を充填しておく。こうすることで、アース端子の電線接続部における防水構造が達成される。
【００１３】
請求項２の発明によれば、アース部と電線接続部とは互いに略垂直方向にされる。このため、キャップを電線接続部に取り付けるときに、キャップの先端がアース部に当接するため位置決めが行えるため、キャップの挿入深さが一定になる。
【００１４】
請求項３の発明によれば、被覆電線を電線接続部に取り付けるときに、アース部に対して左右のいずれの方向も選択できる。このため、アース端子の組付けに都合の良い方を選べる。
【００１５】
請求項４の発明によれば、電線案内壁が複数の電線を電線接続部に沿って案内しておくため、電線とアース端子との接続性が良好となる。
【００１６】
【発明の実施の形態】
＜第１実施形態＞
次に、本発明の第１実施形態について、図１〜図３を参照しつつ説明する。
図１はアース端子１とキャップ２とを組付ける前の斜視図である。電線Ｗの周囲には絶縁用の被覆ＷＡが施されており、先端部分においてはその被覆ＷＡが剥ぎ取られて芯線ＷＢ部分が露出されている。また、図示はしないが、電線Ｗの他端部分にはアースを必要とする回路が接続されている。
【００１７】
アース端子１は導電性金属材を折り曲げて略Ｔ字状にされており、一端側にはアース部３が備えられ、他の端部には電線接続部４が備えられる。アース部３は円形状に形成されており、その中央には図示しないボルトに取り付けるための取付孔３Ａが設けられている。また、このアース部３の外縁の一部からは連結部５が延出されており、連結部５の中央からは、連結部５の延出方向に対して垂直方向に電線接続部４が延設されている。電線接続部４は、電線取付片４Ａと、この電線取付片４Ａの両側縁から折り曲げられて形成された一対の電線案内壁４Ｂとを備えている。電線案内壁４Ｂは連結部５から僅かな距離を隔てて電線取付片４Ａの側方に延設されており、この電線案内壁４Ｂの基部側（連結部５に近い側）にはそれぞれ電線かしめ片６が突設されている。一対の電線かしめ片６は電線案内壁４Ｂの長さ方向に沿って互い違いの位置に配置されており、電線Ｗの被覆ＷＡ部分をかしめ付けて電線取付片４Ａ側に圧着する。また、芯線ＷＢ部分は、必要に応じて電線接続部４において半田付けを行ってもよい。
【００１８】
キャップ２は絶縁性のゴムにより一体に成型されており、一端側に底を有する角筒状とされる。キャップ２の開口は電線接続部４を挿入可能であるとともに、電線接続部４全体を覆うことができる程度の長さとなっている。なお、キャップ２の内部は防水用のシール材７（モールド樹脂）が充填される空間となる。
【００１９】
次に、本実施形態のアース端子１、キャップ２及び電線Ｗを組付ける構造について説明する。
まず、先端部分の被覆ＷＡを剥ぎ取った複数の電線Ｗを束ね、電線取付片４Ａの上側に置き、電線かしめ片６によりかしめ付ける。このとき、必要に応じて予め電線Ｗ同士を半田付けしておいてもよいし、電線Ｗと電線接続部４とを半田付けしてもよい。
【００２０】
次に、キャップ２の内部に電線接続部４を挿入する。このとき、電線接続部４と連結部５とはほぼ垂直方向にされているため、キャップ２の先端が連結部５に当接することでキャップ２の挿入深さが決まる。
次に、キャップ２の内部にシール材７が充填される。キャップ２の底部を下方に向けて置き、キャップ２の開口部付近までシール材７を流し込み、これを固化させる。このとき、キャップ２は有底状とされているので、複数本の電線Ｗを取り付けた電線接続部４を挿入しても、シール材７が下口から流れ出してしまうことがなく、簡易に電線接続部４における防水構造ができあがる。
【００２１】
このように、本実施形態によれば、複数本の電線Ｗとアース端子１とを接続する場合にも、高価なコネクタハウジングを形成する必要がなく、簡易に組み付けることができる。
【００２２】
また、アース部３と電線接続部４とは連結部５により互いに略垂直方向にされる。このため、キャップ２を電線接続部４に取り付けるときに、キャップ２の先端が連結部５に当接するため位置決めが行えるため、キャップ２の挿入深さが一定となる。
【００２３】
さらに、電線Ｗをアース端子１に組付けるさいには、電線案内壁４Ｂが複数の電線Ｗを電線接続部４に沿って案内しておくため、電線Ｗとアース端子１との接続性が良好となる。
【００２４】
加えて、アース端子１には電線Ｗをかしめ付けておくための電線かしめ片６が設けられているため、電線Ｗとアース端子１との接続力が強化される。
【００２５】
なお、本実施形態ではアース端子１は略Ｔ字状に形成されているが、本発明によれば、連結部５と電線接続部４とが連結する部分よりも右側に延出する部分を無くして略Ｌ字状としてもよい。
【００２６】
＜第２実施形態＞
次に、本発明の第２実施形態について、図４〜図６を参照しつつ説明する。なお、本実施形態と第１実施形態とにおいて同一の構成には同一の符号を付して説明の一部を省略する。
【００２７】
本実施形態と第１実施形態との相違は、アース端子１０の構造である。アース端子１０は導電性金属板を折曲げ加工してなり、電線接続部１１とアース部１３とを備えている。電線接続部１１は断面コ字状に形成されており、電線Ｗを載せる底面部１１Ａと、この底面部１１Ａの両側縁から折り曲げられた一対の電線案内壁１１Ｂとからなる。また、この電線案内壁１１Ｂのほぼ中央位置からは、両外方向に壁面の一部が延設される。これら延設されたもののうち、一方は連結部１２とされており、等幅に延出された連結部１２の先端には円形状のアース部１３が形成される。アース部１３の中央には、図示しないボルトに取り付けるための取付孔１３Ａが備えられる。また、この連結部１２に対向する位置には、連結部１２と等幅で延出された位置決め片１４が突設される。この位置決め片１４はキャップ２を取り付ける際に、連結部１２と共にキャップ２の先端に当接して、キャップ２の位置決めを行うものである。
【００２８】
上記のように構成された第２実施形態においても、第１実施形態と同様の作用及び効果を奏することができる。
【００２９】
また、本実施形態では、電線Ｗを電線接続部１１に取り付けるときに、アース部１３に対して左右のいずれの方向からも組付けることができる。このため、アース部１３の取付孔１３Ａをボルト（図示せず）に組付ける際に、組付け方向の便利な方を選択することができる。
【００３０】
＜第３実施形態＞
次に、本発明の第３実施形態について、図７〜図１０を参照しつつ説明する。なお、本実施形態と第１実施形態とにおいて、同一の構成には同一の符号を付して、説明の一部を省略する。
【００３１】
本実施形態においては、アース端子２０は導電性金属板によって、等幅の細長形状にされており、その一端側には中央に取付孔２１Ａが設けられた円形状のアース部２１が備えられ、他端側は電線接続部２２とされる。この電線接続部２２は、電線Ｗ端部の芯線ＷＢと共に抵抗溶接によって連結される。
【００３２】
キャップ２３は絶縁性のゴムにより一体に成型されており、一端側に底を有する円筒状とされる。キャップ２３の開口縁の径は、電線Ｗ及び電線接続部２２が連結されたものの径よりも大きくされるとともに、その長さは電線Ｗ端部の露出された芯線ＷＢ部分の長さよりも長くされている。また、キャップ２３の内部には防水用のシール材７（モールド樹脂）が充填される。
【００３３】
次に、本実施形態の作用及び効果について説明を加える。電線Ｗ端部に露出された芯線ＷＢと連結された電線接続部２２をキャップ２３の内部に挿入する。ここで、キャップ２３の内部にシール材７を充填及び固化させる。その後、アース端子２０がキャップ２３から突出する位置において、アース端子２０を所望の角度に折り曲げてアース部２１を使用しやすい位置にする。
【００３４】
このように、本実施形態によれば、第１実施形態と同様の効果のほか、さらに簡易な構成のアース端子２０を提供することができる。
【００３５】
また、本実施形態では、予めアース端子２０の中央部分を折り曲げておけば、キャップ２３を組み付けるときの位置決めの役目を果たすと共に、アース部２１の取付孔２１Ａに図示しないボルトを取り付けるときに便利である。
【００３６】
本発明は前記実施形態に限定されるものではなく、例えば次に記載するようなものも本発明の技術的範囲に含まれる。
（１）電線は複数本のものでなく、一本でもよい。
（２）キャップの材質は絶縁性であればゴムによらず、合成樹脂でもよい。
（３）第１及び第２実施形態において、アース部と電線接続部とは直角方向に交わってなくてもよく、３０度や４５度等のように傾いていてもよい。
【図面の簡単な説明】
【図１】第１実施形態においてアース端子とキャップとを組付ける前の斜視図
【図２】アース端子と電線とを組付けたときの斜視図
【図３】組付けが完了したときの一部破断斜視図
【図４】第２実施形態においてアース端子とキャップとを組付ける前の斜視図
【図５】アース端子と電線とを組付けたときの斜視図
【図６】組付けが完了したときの一部破断斜視図
【図７】第３実施形態においてアース端子とキャップとを組付ける前の斜視図
【図８】組付けが完了したときの一部破断斜視図
【図９】アース端子を折り曲げたときの一部破断斜視図
【図１０】  アース端子を折り返したときの一部破断斜視図
【図１１】従来例におけるアース用コネクタの側断面図
【図１２】従来例におけるアース端子の側断面図
【符号の説明】
１，１０，２０…アース端子
２，２３…キャップ
３，１２，２１…アース部
４，１１，２２…電線接続部
４Ｂ，１１Ｂ…電線案内壁
７…シール材
Ｗ…電線
ＷＢ…芯線
【図１】
0003671615.tif 000002
【図２】
0003671615.tif 000003
【図３】
0003671615.tif 000004
【図４】
0003671615.tif 000005
【図５】
0003671615.tif 000006
【図６】
0003671615.tif 000007
【図７】
0003671615.tif 000008
【図８】
0003671615.tif 000009
【図９】
0003671615.tif 000010
【図１０】
0003671615.tif 000011
【図１１】
0003671615.tif 000012
【図１２】
0003671615.tif 000013